(57)【要約】【課題】本考案は、組立てが容易で各部品の脱落がなく安定した、通信モジュール用台座の構造を提供することを課題とする。【解決手段】通信モジュール用台座の構造は、左台座及び右台座と、２つの連接端子部材とを含み、左台座及び右台座が、絶縁材料で成形され、左台座及び右台座の側面及び底面より、回路板と連接する端子が延在し、左台座及び右台座の正面と、左台座の下方と、右台座の上方とには、係り溝が成形され、２つの連接端子部材が、複数の湾曲した金属導電体を含み、金属導電体の前端が、傾斜連接端子を形成し、金属導電体の水平部分には絶縁素材でなる水平プレートが設けられ、垂直部分には絶縁素材でなる立設プレートが設けられ、金属導電体の末端が、立設プレートの側面から突出することによる。【選択図】図２
0003119638.tif 000002
【実用新案登録請求の範囲】
【請求項１】
左台座及び右台座と、２つの連接端子部材とを含む通信モジュール用台座の構造において、
前記左台座及び右台座が、絶縁材料で成型され、
前記左台座及び右台座の側面及び底面より、回路板と連接する端子が延在し、
前記左台座の正面下方及び右台座の正面上方に、係り溝が成型され、
前記２つの連接端子部材が、複数の屈曲した金属導電体を含み、
前記金属導電体の前端が、傾斜連接端子を形成し、
前記金属導電体の水平部分には絶縁素材でなる水平プレートが設けられ、
前記金属導電体の垂直部分には絶縁素材でなる立設プレートが設けられ、
前記金属導電体の末端が、立設プレートの側面から突出することを特徴とする、通信用モジュール用台座の構造。
【請求項２】
前記係り溝が、前記左台座の前壁と左台座の下端から延設されたプレート及び右台座の前壁と右台座の上端から延設されたプレートとから構成され、
前記プレートが各々前記左台座及び右台座の高さの４分の１の長さを有し、前記プレートの間に空間が形成される通信モジュール用台座の構造。
【請求項３】
前記左台座及び右台座の正面中央に、前記２つの連接端子部材を仕切るための凸部が横方向に設けられる、請求項１又は２に記載の通信モジュール用台座の構造。
【請求項４】
前記凸部が接触部を有し、該接触部の厚さが前記凸部の半分であることを特徴とする、請求項３に記載の通信モジュール用台座の構造。
【請求項５】
左台座及び右台座に、異常電圧を防止するための濾波コイルを収容する収容部が設けられ、
前記濾波コイルが、前記左台座及び右台座の側面に取り付けられる回路板に連接され、前記収容部内に密封される事を特徴とする、請求項１〜４の何れか一に記載の通信モジュール用台座の構造。
【請求項６】
前記水平プレートの接触面に、前記２つの連接端子部材を定位置に納めるための凸状体が設けられることを特徴とする、請求項１〜５の何れか一に記載の通信モジュール用台座の構造。
【考案の詳細な説明】
【技術分野】
【０００１】
本考案は、通信モジュール用の台座の構造に関し、特に、ＲＪ−４５タイプのネットワークプラグと連接可能な堆積式コネクタであって、通信モジュールの組立て作業が簡易化される通信モジュール用台座の構造に関する。
【背景技術】
【０００２】
データの有線転送にはＲＪ−４５タイプのネットワーク用ケーブルが使用され、その両端には複数（一般的には８つ）の端子を有するプラグが設けられ、プラグがコネクタに挿入され、データの転送が行われる。
【０００３】
従来のコネクタの構造は、１つ又は複数の通信モジュールを台座に取り付けて、電磁波遮断機能を有するハウジングによって全体を覆うように構成される。通信モジュールの構造としては、絶縁台座内に濾波コイルが設置され、絶縁台座の前方には傾斜を有する弾性の連接端子が複数設けられる。コネクタを組み立てる際には、複数の連接端子がプラグの外形に適合する穴に取り付けられ、プラグを穴に挿入すると、プラグの端子がコネクタの複数の連接端子に電気的に連接する。
【０００４】
データの転送量の増加に伴い、堆積式コネクタが用いられるようになった。また、スペースを節約するため、堆積式コネクタの内部にある通信モジュールの絶縁台座の前方の穴に上下の連接端子が設けられるようになった。これによれば、台座本体の穴に上下のプラグを挿入することが可能であり、上下のプラグの各端子は、各連接端子と各々電気的に連接される。
【０００５】
図１は、台湾実用新案第Ｍ２４９３０４号（特許文献１）に開示される、従来の堆積式コネクタ内に設置される通信モジュールの分解図であり、左右対称の２つの本体９０１から構成され、本体９０１には突起９０２が設けられ、突起９０２が溝９０３にはめ込まれる。突起９０２の内部には溝９０４が設けられ、突起９０２の上部には穴９０５が開けられている。本体９０１の下部には収容部９０６が設けられ、本体９０１の側部には端子９０７が複数設けられる。下端プレートが収容部９０６の内部に設けられ、下端プレートの外側面と下面には端子が複数設けられる。端子プレート９０８が溝９０４に対応して設けられ、端子プレート９０８には外側に向かって複数の端子９０９が設けられ、端子プレート９０８の下部から前方に向かって湾曲形状の端子９１０が複数設けられる。本体９０１の両側に設置された回路板は前記端子９０７、９０９と連接し、通信モジュールが構成される。
【０００６】
上記通信モジュールの構造においては、２つの本体９０１が絶縁台座を構成し、絶縁台座内部の回路板で閉鎖された空間９１１には濾波コイルが設けられ、通信モジュールが保護される。
【０００７】
しかしながら、このような通信モジュールは、ＲＪ−４５タイプのネットワーク用プラグと連接される湾曲形状の端子９１０が設けられた端子プレート９０８を突起９０２の溝９０４に挿入して、湾曲形状の端子９１０を穴９０５から突出させることが必要であり、端子プレート９０８及び溝９０４が極めて小さいので、組立作業が困難であった。
【０００８】
また、下側の端子プレートが収容部９０６に取り付けられる必要があり、全体の構造が不安定であり、各部品が脱落しやすいという欠点があった。
【特許文献１】台湾実用新案第Ｍ２４９３０４号
【考案の開示】
【考案が解決しようとする課題】
【０００９】
本考案の目的は、組立てが容易で各部品の脱落がなく安定した、通信モジュール用台座の構造を提供することである。
【課題を解決するための手段】
【００１０】
本考案者らは、鋭意研究を重ねた結果、左台座及び右台座に係り溝を成型することによって、上記課題を解決する通信モジュール用の台座の構造を完成した。
【００１１】
すなわち、本考案の通信モジュール用台座の構造は、以下よりなる。
１．左台座及び右台座と、２つの連接端子部材とを含む通信モジュール用台座の構造において、
前記左台座及び右台座が、絶縁材料で成型され、
前記左台座及び右台座の側面及び底面より、回路板と連接する端子が延在し、
前記左台座の正面下方及び右台座の正面上方に、係り溝が成型され、
前記２つの連接端子部材が、複数の屈曲した金属導電体を含み、
前記金属導電体の前端が、傾斜連接端子を形成し、
前記金属導電体の水平部分には絶縁素材でなる水平プレートが設けられ、
前記金属導電体の垂直部分には絶縁素材でなる立設プレートが設けられ、
前記金属導電体の末端が、立設プレートの側面から突出することを特徴とする、通信用モジュール用台座の構造。
２．前記係り溝が、前記左台座の前壁と左台座の下端から垂直に延設されたプレート及び右台座の前壁と右台座の上端から垂直に延設されたプレートとから構成され、
前記プレートが前記左台座及び右台座の高さの４分の１の長さを有し、
前記左台座及び右台座の中央には空間が形成されることを特徴とする、前項１に記載の通信モジュール用台座の構造。
３．前記左台座及び右台座の正面中央に、前記２つの連接端子部材を仕切るための凸部が横方向に設けられる、前項１又は２に記載の通信モジュール用台座の構造。
４．前記凸部が接触部を有し、該接触部の厚さが前記凸部の半分であることを特徴とする、前項３に記載の通信モジュール用台座の構造。
５．左台座及び右台座に、異常電圧を防止するための濾波コイルを収容する収容部が設けられ、
前記濾波コイルが、前記左台座及び右台座の側面に取り付けられる回路板に連接され、前記収容部内に密封される事を特徴とする、前項１〜４の何れか一に記載の通信モジュール用台座の構造。
６．前記水平プレートの接触面に、前記２つの連接端子部材を定位置に納めるための凸状体が設けられることを特徴とする、前項１〜５の何れか一に記載の通信モジュール用台座の構造。
【考案の効果】
【００１２】
左右の台座が各々係り溝によって組み合わされるので、組立作業が簡素化され、生産性が向上し、全ての端子が台座内に埋め込まれ、端子プレートを組み付ける必要がなくなり、強固な構造を有するものとなり、連接端子部材間に水平プレートが設けられているので、導電性の異物の混入を防ぐことができる。
【考案を実施するための最良の形態】
【００１３】
以下に、本考案の一実施形態を示し、具体的に説明するが、本考案はこれらに限定されるものではない。
【００１４】
図２〜３に示すように、本考案の通信モジュール用台座の構造は、左台座１０と右台座２０とから構成され、左台座１０及び右台座２０は、絶縁材料で成型される。左台座１０の側面及び底面には端子１１が延在し、右台座２０の側面及び底面には端子２１が延在する。
【００１５】
左台座１０の正面下方には係り溝１２が、右台座２０の正面上方には係り溝２２が成型される。係り溝１２は、左台座１０の前壁１３と、左台座１０の下端から延設されたプレート１４とから構成され、係り溝２２は、右台座２０の前壁２３と、右台座２０の上端から延設されたプレート２４とから構成される。前記プレート１４及び２４は左台座１０及び右台座２０の高さの４分の１の長さを有し、左台座１０及び右台座２０の中央には、空間Ｓが形成され、これによって、連接端子部材３０の導入が容易となる。係り溝１２及び２２内に、連接端子部材３０の立設プレート３３が挿入され、左台座１０の内側面１７と右台座２０の内側面２７とが接合される。
【００１６】
前記左台座１０及び右台座２０の正面中央には、２つの連接端子部材３０を仕切るための凸部１５及び２５が、横方向に設けられる。凸部１５及び２５は、接触部１５１及び２５１を有し、接触部の厚さは、凸部１５及び２５の半分程度である。
【００１７】
左台座１０及び右台座２０には、異常電圧を防止するための濾波コイルを収容する収容部１６及び２６が設けられる。濾波コイルは、左台座１０及び右台座２０の側面に取り付けられる回路板に連接され、収容部１６及び２６内に密封される。
【００１８】
２つの連接端子部材３０は、複数（本実施例では８本）の屈曲した金属導電体３１を含み、金属導電体３１の前端にはプラグの端子と接触する傾斜連接端子３１１が形成される。金属導電体３１の水平部分３１２には絶縁素材でなる水平プレート３２が設けられ、金属導電体３１の垂直部分には立設プレート３３が設けられる。金属導電体３１の末端部３１３は、立設プレート３３の側面から突出し、回路板と連接される。図３及び４に示すように、立設プレート３３が左台座１０及び右台座２０の正面の係り溝１２及び２２に各々挿入される。
【００１９】
水平プレート３２の接触面３２１には、２つの連接端子部材３０を定位置に納めるための凸状体３２２が設けられる。
【００２０】
図５に示すように、通信モジュールを堆積式コネクタの台座４０の挿入部４１に挿入し、電磁波防止機能を有するハウジングによって全体を覆い、堆積式コネクタが構成される。
【産業上の利用可能性】
【００２１】
本考案により、組立てが容易で各部品の脱落がなく安定した、通信モジュールが製造可能となる。
【図面の簡単な説明】
【００２２】
【図１】従来の通信モジュールの分解図である。
【図２】本考案の通信モジュール用台座の分解図である。
【図３】本考案の通信モジュール用台座の斜視図である。
【図４Ａ】本考案の通信モジュール用台座の側面図である。
【図４Ｂ】本考案の通信モジュール用台座の側面図である。
【図５】本考案の通信モジュール用台座が、堆積式コネクタに導入される状態を示す図である。
【符号の説明】
【００２３】
１０    左台座
１１    端子
１２    係り溝
１３    前壁
１４    プレート
１５    凸部
１５１  接触部
１６    収容部
１７    内側面
２０    右台座
２１    端子
２２    係り溝
２３    前壁
２４    プレート
２５    凸部
２５１  接触部
２６    収容部
２７    内側面
３０    連接端子部材
３１    金属導電体
３１１  傾斜連接端子
３１２  水平部分
３１３  末端部
３２    水平プレート
３２１  接触面
３２２  凸状体
３３    立設プレート
４０    堆積式コネクタの台座
４１    挿入部
Ｓ      空間
【図１】
0003119638.tif 000003
【図２】
0003119638.tif 000004
【図３】
0003119638.tif 000005
【図４Ａ】
0003119638.tif 000006
【図４Ｂ】
0003119638.tif 000007
【図５】
0003119638.tif 000008